(57)【要約】【課題】パソコンに通信可能であり、カタカナおよびひらがなのみ表示可能な表示部を備えた電話装置において、通信回線を介して受信した発信者名称に漢字が含まれる場合も、受信した発信者名称に基づいて、表示部に発信者名称を表示する。【解決手段】ネーム・ディスプレイサービスを有する通信回線に接続され、漢字文字列の読み仮名を漢字文字列に対応して記憶する漢字辞書を備えるパソコンと、通信可能な電話装置において、発信者情報を表示可能な表示部と、通信回線を介して発信者情報を受信する発信者情報受信手段と、受信された発信者情報のうち、漢字を含む発信者名称を検出する名称検出手段と、検出された発信者名称とそれに対応する読み仮名への変換指示をパソコンへ送信する変換指示手段と、変換された読み仮名を受信する読み仮名受信手段と、読み仮名を表示部に表示する表示制御手段とを備える。【選択図】図２
2011044992.tif 000002
【特許請求の範囲】
【請求項１】
発信者電話番号と該発信者電話番号に対して登録されている発信者名称とを含む発信者情報を通知するサービスを有する通信回線に接続され、漢字文字列の読み仮名を漢字文字列に対応して記憶する漢字辞書を具備する情報処理装置と通信可能な電話装置において、
前記発信者情報を表示可能な表示手段と、
前記通信回線を介して前記発信者情報を受信する発信者情報受信手段と、
前記発信者情報受信手段により受信された発信者情報のうち、漢字を含む発信者名称を検出する名称検出手段と、
前記名称検出手段により検出された発信者名称および該発信者名称に対する読み仮名への変換の指示を前記情報処理装置へ送信する変換指示手段と、
前記情報処理装置により変換された発信者名称に対する読み仮名を受信する読み仮名受信手段と、
前記読み仮名を前記表示手段に表示する表示制御手段と
を備えることを特徴とする電話装置。
【請求項２】
前記表示制御手段は、前記名称検出手段により漢字を含む発信者名称が検出された場合、前記読み仮名受信手段により前記読み仮名を受信するまでの間、前記発信者電話番号を前記表示手段に表示することを特徴とする請求項１に記載の電話装置。
【請求項３】
前記変換指示手段は、前記名称検出手段により検出された漢字を含む発信者名称に対応する発信者電話番号を、該発信者名称とともに前記情報処理装置へ送信し、
前記読み仮名受信手段は、前記変更指示手段により送信された発信者電話番号を、前記発信者名称に対する読み仮名とともに前記情報処理装置から受信することを特徴とする請求項１または２に記載の電話装置。
【請求項４】
前記電話装置は、第１無線接続によって前記情報処理装置と通信可能であり、
第２無線接続によって制御信号と音声信号とを送受信するコードレス子機を有し、
前記コードレス子機が前記第２無線接続によって送信する制御信号および音声信号を前記通信回線に伝送するとともに、前記通信回線から入力された制御信号および音声信号を前記第２無線接続によって前記コードレス子機に伝送する伝送手段と、
前記コードレス子機による前記通信回線を介した通話の開始を検出する通話開始検出手段と、
前記通話開始検出手段により通話の開始が検出された場合、前記情報処理装置との前記第１無線接続を切断する通信制御手段と
を備えることを特徴とする請求項１〜３のいずれかに記載の電話装置。
【請求項５】
前記コードレス子機による前記通信回線を介した通話の終了を検出する通話終了検出手段を備え、
前記通信制御手段は、前記通話終了検出手段により通話の終了が検出された場合、前記情報処理装置との前記第１無線接続を再開することを特徴とする請求項４に記載の電話装置。
【請求項６】
前記通話開始検出手段による通話開始検出前に、前記読み仮名受信手段により前記読み仮名が受信されていない場合、
前記読み仮名受信手段は、前記通話終了検出手段による通話終了検出後、前記情報処理装置から前記読み仮名を受信することを特徴とする請求項５に記載の電話装置。
【請求項７】
請求項１〜６のいずれかに記載の電話装置と、該電話装置と通信可能であり、漢字文字列の読み仮名を漢字文字列に対応して記憶する漢字辞書を具備する情報処理装置とから構成される電話システムであって、
前記情報処理装置は、
漢字を含む発信者名称および該発信者名称に対する読み仮名への変換の指示を前記電話装置から受信する変換指示受信手段と、
前記変換指示受信手段により受信した発信者名称を前記漢字辞書に基づいて読み仮名へ変換する読み仮名変換手段と、
前記読み仮名変換手段により変換された読み仮名を前記電話装置へ送信する読み仮名送信手段と、
を備えることを特徴とする電話システム。
【発明の詳細な説明】
【技術分野】
【０００１】
本発明は、発信者電話番号と該発信者電話番号に対して登録されている発信者名称とを含む発信者情報を通知するサービスを有する通信回線に接続され、情報処理装置と通信可能な電話装置、および、該電話装置と該情報処理装置とから構成される電話システムに関する。
【背景技術】
【０００２】
従来、発信者電話番号を通知するサービス、いわゆるナンバー・ディスプレイ（登録商標）サービス、および、発信者名称を通知するサービス、いわゆるネーム・ディスプレイ（登録商標）サービスに対応している電話機が知られている。
【０００３】
特許文献１に記載されているコードレス電話システムは、漢字表示タイプの親機とカナ子機とを具備するコードレス子機付き電話機において、親機において発信者電話番号と発信者名称とを受信した際、該発信者電話番号が親機の電話帳に登録されている場合は、電話帳に該発信者電話番号に対応付けて登録されている名称と該発信者電話番号とを親機の表示部に表示させるとともに、その名称の読み仮名と発信者電話番号とを子機に送信して子機の表示部に表示させる。一方、発信者電話番号が親機の電話帳に登録されていない場合、受信した発信者電話番号と発信者名称とを親機の表示部に表示するとともに、電話番号と「名称表示中」という情報を子機に送信し、これらの情報を子機の表示部に表示させる。
【先行技術文献】
【特許文献】
【０００４】
【特許文献１】特開２００６−１４８７３２号公報
【発明の概要】
【発明が解決しようとする課題】
【０００５】
しかしながら、特許文献１に記載の発明では、漢字表示に非対応の表示部を備えた電話装置において、通信回線を介して受信した発信者名称に漢字が含まれる場合、受信した発信者名称に基づいて、電話装置に発信者名称を表示することができないという問題がある。
【０００６】
本発明は、上述した問題点を解決するためになされたものであり、情報処理装置に通信可能であり、漢字表示に非対応の表示部を備えた電話装置において、通信回線を介して受信した発信者名称に漢字が含まれる場合にも、受信した発信者名称に基づいて、表示部に発信者名称を表示可能な電話装置、および、その電話装置と情報処理装置とから構成される電話システムを提供することを目的とする。
【課題を解決するための手段】
【０００７】
前記目的を達成するために、請求項１に記載の電話装置は、発信者電話番号と該発信者電話番号に対して登録されている発信者名称とを含む発信者情報を通知するサービスを有する通信回線に接続され、漢字文字列の読み仮名を漢字文字列に対応して記憶する漢字辞書を具備する情報処理装置と通信可能な電話装置において、前記発信者情報を表示可能な表示手段と、前記通信回線を介して前記発信者情報を受信する発信者情報受信手段と、前記発信者情報受信手段により受信された発信者情報のうち、漢字を含む発信者名称を検出する名称検出手段と、前記名称検出手段により検出された発信者名称および該発信者名称に対する読み仮名への変換の指示を前記情報処理装置へ送信する変換指示手段と、前記情報処理装置により変換された発信者名称に対する読み仮名を受信する読み仮名受信手段と、前記読み仮名を前記表示手段に表示する表示制御手段とを備えることを特徴とする。
【０００８】
また、請求項２に記載の発明は、請求項１に記載の電話装置において、前記表示制御手段は、前記名称検出手段により漢字を含む発信者名称が検出された場合、前記読み仮名受信手段により前記読み仮名を受信するまでの間、前記発信者電話番号を前記表示手段に表示することを特徴とする。
【０００９】
また、請求項３に記載の発明は、請求項１または２に記載の電話装置において、前記変換指示手段は、前記名称検出手段により検出された漢字を含む発信者名称に対応する発信者電話番号を、該発信者名称とともに前記情報処理装置へ送信し、前記読み仮名受信手段は、前記変更指示手段により送信された発信者電話番号を、前記発信者名称に対する読み仮名とともに前記情報処理装置から受信することを特徴とする。
【００１０】
また、請求項４に記載の発明は、請求項１〜３のいずれかに記載の電話装置において、前記電話装置が、第１無線接続によって前記情報処理装置と通信可能であり、第２無線接続によって制御信号と音声信号とを送受信するコードレス子機を有し、前記コードレス子機が前記第２無線接続によって送信する制御信号および音声信号を前記通信回線に伝送するとともに、前記通信回線から入力された制御信号および音声信号を前記第２無線接続によって前記コードレス子機に伝送する伝送手段と、前記コードレス子機による前記通信回線を介した通話の開始を検出する通話開始検出手段と、前記通話開始検出手段により通話の開始が検出された場合、前記情報処理装置との前記第１無線接続を切断する通信制御手段とを備えることを特徴とする。
【００１１】
また、請求項５に記載の発明は、請求項４に記載の電話装置において、前記コードレス子機による前記通信回線を介した通話の終了を検出する通話終了検出手段を備え、前記通信制御手段は、前記通話終了検出手段により通話の終了が検出された場合、前記情報処理装置との前記第１無線接続を再開することを特徴とする。
【００１２】
また、請求項６に記載の発明は、請求項５に記載の電話装置において、前記通話開始検出手段による通話開始検出前に、前記読み仮名受信手段により前記読み仮名が受信されていない場合、前記読み仮名受信手段は、前記通話終了検出手段による通話終了検出後、前記情報処理装置から前記読み仮名を受信することを特徴とする。
【００１３】
さらに、請求項７に記載の電話システムは、請求項１〜６のいずれかに記載の電話装置と、該電話装置と通信可能であり、漢字文字列の読み仮名を漢字文字列に対応して記憶する漢字辞書を具備する情報処理装置とから構成される電話システムであって、前記情報処理装置は、漢字を含む発信者名称および該発信者名称に対する読み仮名への変換の指示を前記電話装置から受信する変換指示受信手段と、前記変換指示受信手段により受信した発信者名称を前記漢字辞書に基づいて読み仮名へ変換する読み仮名変換手段と、前記読み仮名変換手段により変換された読み仮名を前記電話装置へ送信する読み仮名送信手段と、を備えることを特徴とする。
【発明の効果】
【００１４】
請求項１および請求項７に記載の発明によれば、通信回線を介して受信した発信者情報のうち、漢字を含む発信者名称が検出された場合、情報処理装置で変換された読み仮名を表示することにより、漢字表示に非対応の表示部を備えた電話装置において、通信回線を介して受信した発信者名称に漢字が含まれる場合にも、受信した発信者名称に基づいて、表示部に発信者名称を表示することができる。
【００１５】
また、請求項２に記載の発明は、情報処理装置での変換処理の遅延により、情報処理装置から送信される読み仮名を受信するまでに長時間を要する場合であっても、読み仮名を受信する前に、発信者電話番号を表示することにより、電話装置のユーザは、発信者を容易に特定することができる。
【００１６】
また、請求項３に記載の発明は、発信者電話番号を読み仮名とともに情報処理装置から受信することにより、発信者電話番号と読み仮名とを対応付けて管理することができる。
【００１７】
また、請求項４に記載の発明は、通話中に電話装置と情報処理装置との第１無線接続を切断することにより、第１無線接続と第２無線接続との電波干渉を防止することができる。
【００１８】
また、請求項５に記載の発明は、通話の終了を検出した後、情報処理装置との第１無線接続を再開することにより、電波干渉の影響の大きい通話中を除き、常に電話装置と情報処理装置との間でデータの送受信を行うことができる。
【００１９】
さらに、請求項６に記載の発明は、通話終了後に読み仮名を受信することにより、電波干渉を防止しつつ、変換された読み仮名の名称を確実に受信することができる。
【図面の簡単な説明】
【００２０】
【図１】本実施形態の電話システムを示すブロック図である。
【図２】通信ＢＯＸにおける発信者名称表示処理を示すフローチャートである。
【図３】パソコンにおける発信者名称表示処理を示すフローチャートである。
【図４】コードレス子機における発信者名称表示処理を示すフローチャートである。
【発明を実施するための形態】
【００２１】
以下、本発明の実施の形態について、図面を参照しつつ詳細に説明する。本実施の形態では、電話装置として、コードレス子機５０を具備する通信ＢＯＸ１０を例に挙げて説明し、情報処理装置として、コンピュータ（以下、パソコン）３０を例に挙げて説明する。
【００２２】
＜システムの構成＞
本実施形態の電話システム１について、図１を参照して説明する。電話システム１は、公衆電話回線網（ＰＳＴＮ）４（本発明の通信回線に相当）により外部電話装置５と通信可能な通信ＢＯＸ１０と、通信ＢＯＸと無線ＬＡＮ（Wireless Local Area Network；ＷＬＡＮ）２（本発明の第１無線接続に相当）により無線通信可能に接続されたパソコン３０と、通信ＢＯＸと無線通信３（本発明の第２無線接続に相当）により通信可能に接続されたコードレス子機５０とを備える。なお、通信ＢＯＸ１０とパソコン３０との接続方法は、無線ＬＡＮ２に限定されるものではなく、有線ＬＡＮ、ＵＳＢ接続、またはパラレル接続であってもよい。
【００２３】
以下、各装置の構成を説明する。まず、通信ＢＯＸ１０について説明する。通信ＢＯＸ１０は、ＰＳＴＮ４に接続されたＮＣＵ（Network Control Unit）１１と、無線ＬＡＮを構成する各ノードと無線通信可能な通信インターフェースであるＷＬＡＮ通信部１４と、コードレス子機５０と無線通信可能な通信インターフェースであるＤＣＬ通信部１５と、記憶部１６と、操作部１７と、表示部１９（本発明の表示手段に相当）と、制御部２０とを備える。また、本実施形態において、通信ＢＯＸ１０は、ナンバー・ディスプレイサービスやネーム・ディスプレイサービス等の各種サービス機能の設定を可能とする。
【００２４】
記憶部１６は、例えば、ハードディスクまたは不揮発性のメモリ（ＥＥＰＲＯＭ）で構成されている。記憶部１６には、例えば、各種サービス機能の設定状況や、着信日時や着信した発信者電話番号や発信者名称等の着信履歴が記憶されている。
【００２５】
操作部１７は、操作キー群を備えており、各種サービス機能のオン・オフ設定等、ユーザ操作可能な入力インターフェースとしての機能を実行する。
【００２６】
表示部１９は、例えば、液晶ディスプレイで構成されている。また、表示部１９は、ひらがなおよびカタカナのみ表示可能であり、漢字表示に非対応なものである。ここで、漢字表示に非対応な表示部とは、漢字のフォント情報を具備していないために漢字が表示されない表示部や、表示解像度が低いために漢字が表示されない表示部等である。なお、表示部１９は、これに限定されるものではなく、本実施形態において、漢字表示に非対応であり、ひらがな、カタカナ、英数字の少なくとも１種類が表示可能なものであれば、種々の形態を採用することができる。
【００２７】
制御部２０は、ＣＰＵ２１と、ＣＰＵ２１が実行する各種プログラムを記憶するＲＯＭ２３と、プログラム実行時に作業領域として使用されるＲＡＭ２５とを備える。
【００２８】
通信ＢＯＸ１０は、制御部２０の制御により、ＤＣＬ通信部１５を介して入力された音声信号および制御信号を、ＮＣＵ１１を介してＰＳＴＮ４に伝送すると共に、ＰＳＴＮ４を介して入力された音声信号および制御信号を、ＤＣＬ通信部１５を介して無線通信３に伝送することが可能である（本発明の伝送手段に相当）。
【００２９】
次に、パソコン３０について説明する。パソコン３０は、各種データを記憶可能であってハードディスク等で構成される記憶部３２と、通信ＢＯＸ１０が備えるＷＬＡＮ通信部１４と同等の通信インターフェースであって通信ＢＯＸ１０と無線ＬＡＮ２により無線通信可能なＷＬＡＮ通信部３４と、ユーザ操作可能な入力インターフェースであってキーボードおよびマウスから構成される操作部３７と、液晶ディスプレイ等で構成される表示部３９と、制御部４０とを備える。
【００３０】
制御部４０は、ＣＰＵ４１と、ＣＰＵ４１が実行する各種プログラムを記憶するＲＯＭ４３と、ＣＰＵ４１によるプログラム実行時に作業領域として使用されるＲＡＭ４５とを備える。ＲＯＭ４３は、単語、熟語、人名、地名などの漢字文字列の読み仮名を漢字文字列に対応して記憶する漢字辞書４４を備える。なお、本実施形態において、読み仮名とは、ひらがなまたはカタカナにより構成される文字列であり、ひらがなとカタカナが混在する文字列であってもよい。ＣＰＵ４１は、漢字辞書４４に基づいて、漢字文字列を該漢字文字列に対応する読み仮名に変換する。また、本実施形態では、漢字辞書４４はＲＯＭ４３に備えられているが、記憶部３２に備えられていてもよい。
【００３１】
次に、コードレス子機５０について説明する。コードレス子機５０は、音声入出力部５１と、通信ＢＯＸ１０が備えるＤＣＬ通信部１５と無線通信３により通信可能な通信インターフェースであるＤＣＬ通信部５５と、通話開始ボタンや通話終了ボタン等の操作キー群を備えてユーザ操作可能な入力インターフェースとして機能する操作部５７と、表示部５９（本発明の表示手段に相当）と、制御部６０とを備える。
【００３２】
音声入出力部５１は、ユーザの発話音声を集音するためのマイクロフォンを備えるとともに、外部電話装置５から通信ＢＯＸ１０を介して送信されてくる外部電話装置５を使用するユーザの発話音声および呼出音等を出力するためのスピーカを備える。
【００３３】
表示部５９は、例えば、液晶ディスプレイで構成されている。また、表示部５９は、ひらがなおよびカタカナのみ表示可能であり、漢字表示に非対応なものである。ここで、漢字表示に非対応な表示部とは、漢字のフォント情報を具備していないために漢字が表示されない表示部や、表示解像度が低いために漢字が表示されない表示部等である。なお、表示部５９は、これに限定されるものではなく、本実施形態において、漢字表示に非対応であり、ひらがな、カタカナ、英数字の少なくとも１種類が表示可能なものであれば、種々の形態を採用することができる。
【００３４】
制御部６０は、マイクロコンピュータ（図示せず）を備え、該マイクロコンピュータにて各種プログラムを実行することにより、コードレス子機５０全体を統括制御する構成にされている。
【００３５】
なお、本実施形態の電話システム１において、ＷＬＡＮ通信部１４、３４は、周知の無線ＬＡＮ規格（ＩＥＥＥ８０２．１１ｘ）により直接拡散方式にて無線通信を行うものである。一方、ＤＣＬ通信部１５、５５は、独自仕様（独自プロトコル）で無線通信を行う構成にされている。具体的に、ＤＣＬ通信部１５、５５は、本実施形態において、周波数ホッピング方式により通信を行う構成にされている。
【００３６】
上記の各通信方式はいずれも、ＩＳＭバンド（Industry Science Medical band）と称される２．４ＧＨｚ帯の周波数帯域が用いられるため、ＷＬＡＮ通信部１４、３４による無線通信とＤＣＬ通信部１５、５５による無線通信が混在する電話システム１において、各通信方式の間で電波干渉が発生する虞がある。そのため、本実施形態では、コードレス子機５０で通話中において、ＷＬＡＮ通信部１４、３４による無線通信の接続を切断する制御を行うことにより、電波干渉の発生を防止する。なお、この制御については後述する。
【００３７】
＜発信者名称表示処理＞
次に、本実施形態の発信者名称表示処理について、図２〜図４を参照して詳細に説明する。本実施形態において、通信ＢＯＸ１０は、ナンバー・ディスプレイサービスおよびネーム・ディスプレイサービスの設定がオンにされているとし、本実施形態の発信者名称表示処理は、ナンバー・ディスプレイサービスおよびネーム・ディスプレイサービスにより発信者電話番号および発信者名称をＰＳＴＮ４から受信する場合に実行される処理である。
【００３８】
まず、通信ＢＯＸ１０における処理について、図２の通信ＢＯＸ１０における発信者名称表示処理を示すフローチャートに従って、詳細に説明する。この通信ＢＯＸ１０における発信者名称表示処理は、ＣＰＵ２１がＰＳＴＮ４を介してＣＡＲ信号（情報受信端末起動信号）を検出することにより開始される。ここで、ＣＡＲ信号とは、ナンバー・ディスプレイサービスやネーム・ディスプレイサービスで発信者電話番号等の発信者情報が通知される前に送られてくる信号である。
【００３９】
ＣＰＵ２１は、Ｓ２００において、ＰＳＴＮ４を介して、発信者情報として、発信者電話番号と発信者名称を受信する。なお、Ｓ２００で受信した発信者電話番号は着信日時と対応付けて記憶部１６に着信履歴として記憶される。
【００４０】
次に、ＣＰＵ２１は、Ｓ２０２において、Ｓ２００で受信した発信者名称に漢字が含まれているかを判断する。判断の結果、発信者名称に漢字が含まれていない場合（Ｓ２０２：ＮＯ）、ＣＰＵ２１は、Ｓ２００で受信した発信者名称と発信者電話番号をＲＡＭ２５に記憶し（Ｓ２０８）、発信者名称を表示部１９に表示して（Ｓ２１０）、Ｓ２１２の処理へ移行する。
【００４１】
一方、判断の結果、発信者名称に漢字が含まれる場合（Ｓ２０２：ＹＥＳ）、ＣＰＵ２１は、Ｓ２００で受信した発信者電話番号を表示部１９に表示する（Ｓ２０４）。そして、ＣＰＵ２１は、パソコン３０に、漢字を含む発信者名称に対する読み仮名への変換を指示する変換指示と、Ｓ２００で受信した発信者名称および発信者電話番号を送信する（Ｓ２０６）。
【００４２】
ＣＰＵ２１は、Ｓ２１２において、コードレス子機５０にＳ２００で受信した発信者電話番号と鳴動のトリガ（ＲＩＮＧ）を送信する。そして、ＣＰＵ２１は、Ｓ２１４において、通話が開始されたか否かを判断する。ここで、通話の開始とは、例えば、コードレス子機５０のオフフック状態や、コードレス子機５０の操作部５７にある通話開始ボタンの押下に基づいて、コードレス子機５０から送信される回線接続コマンドを検出することにより判断される。なお、回線接続コマンドが検出された場合、ＣＰＵ２１がこのコマンドに基づいて回線を接続することにより、コードレス子機５０での通話が開始される。
【００４３】
Ｓ２１４の判断の結果、通話開始されずにＰＳＴＮ４が切断されたことが判断された場合（Ｓ２１４：電話回線切断）、本処理を終了する。また、Ｓ２１４の判断の結果、ＰＳＴＮ４が接続状態であり、通話開始が検出されない場合（Ｓ２１４：ＮＯ）、ＣＰＵ２１は、Ｓ２０６で送信した発信者名称の読み仮名と発信者電話番号をパソコン３０から受信したか否かを判断する（Ｓ２１６）。判断の結果、発信者名称の読み仮名と発信者電話番号を受信していない場合（Ｓ２１６：ＮＯ）、Ｓ２２２の処理に移行する。
【００４４】
一方、発信者名称の読み仮名と発信者電話番号をパソコン３０から受信している場合（Ｓ２１６：ＹＥＳ）、ＣＰＵ２１は、受信した発信者名称の読み仮名と発信者電話番号をＲＡＭ２５に記憶し（Ｓ２１８）、受信した発信者電話番号のうち、ＰＳＴＮ４からの着信日時が最新の発信者電話番号に対応する発信者名称の読み仮名を表示部１９に表示する（Ｓ２２０）。なお、この発信者名称表示処理は、ＣＰＵ２１がＰＳＴＮ４を介して外部電話装置５からの着信を検出する度に開始され、Ｓ２２８で通話終了が検出された後、新たな着信があった場合は、Ｓ２３０以降の処理と並列して、新たに本処理が開始される。すなわち、「最新の発信者電話番号」とは、本処理が並列して開始されている場合において、Ｓ２１６で、複数の発信者名称の読み仮名と、各読み仮名に対応する発信者電話番号を受信した際、受信した複数の発信者電話番号のうち、ＰＳＴＮ４からの着信日時が最新の電話番号である。
【００４５】
そして、ＣＰＵ２１は、Ｓ２２２において、ＲＡＭ２５に仮名の発信者名称が記憶されているか否かを判断する。ここで、仮名の発信者名称とは、表示部１９に表示されている発信者名称であり、Ｓ２０８でＲＡＭ２５に記憶された漢字を含まない発信者名称、または、Ｓ２１８でＲＡＭ２５に記憶された、パソコン３０から受信した発信者名称の読み仮名である。判断の結果、仮名の発信者名称が検出されない場合（Ｓ２２２：ＮＯ）、ＣＰＵ２１は、コードレス子機５０にＲＩＮＧを送信して（Ｓ２３６）、Ｓ２１４の処理に戻る。一方、仮名の発信者名称が検出された場合（Ｓ２２２：ＹＥＳ）、ＣＰＵ２１は、表示部１９に表示されている仮名の発信者名称とＲＩＮＧをコードレス子機５０に送信し（Ｓ２２４）、Ｓ２１４の処理に戻る。なお、「表示部１９に表示されている仮名の発信者名称」とは、ＲＡＭ２５に記憶された発信者名称のうち、ＰＳＴＮ４からの着信日時が最新の電話番号に対応する発信者名称である。
【００４６】
また、Ｓ２１４の判断の結果、通話開始が検出された場合（Ｓ２１４：ＹＥＳ）、パソコン３０との無線ＬＡＮ２による接続を切断する（Ｓ２２６）。そして、ＣＰＵ２１は、Ｓ２２８において、通話が終了したか否かを判断する。ここで、通話の終了とは、例えば、コードレス子機５０のオンフック状態や、コードレス子機５０の操作部５７にある通話終了ボタンの押下に基づいて、コードレス子機５０から送信される回線断コマンドを検出することにより判断される。なお、回線断コマンドが検出された場合、ＣＰＵ２１がこのコマンドに基づいて回線を切断することにより、コードレス子機５０での通話が終了される。
【００４７】
Ｓ２２８の判断の結果、通話終了が検出されない場合（Ｓ２２８：ＮＯ）、ＣＰＵ２１は、通話終了が検出されるまでＳ２２８の処理を繰り返す。一方、通話終了が検出された場合（Ｓ２２８：ＹＥＳ）、ＣＰＵ２１は、パソコン３０との無線ＬＡＮ２による接続を再開し（Ｓ２３０）、仮名の発信者名称がＲＡＭ２５に記憶されているか否かを判断する（Ｓ２３２）。仮名の発信者名称が記憶されていないと判断された場合（Ｓ２３２：ＮＯ）、ＣＰＵ２１は、仮名の発信者名称をパソコン３０から受信してＲＡＭ２５に記憶されたことを検出するまで、Ｓ２３２の処理を繰り返す。なお、仮名の発信者名称が記憶されていない場合とは、パソコン３０での変換処理（図３のＳ３０２）の遅延や、無線ＬＡＮ２のトラフィック問題によって、パソコン３０から発信者名称の読み仮名と発信者電話番号を受信する前に通話が開始された場合を指す。
【００４８】
一方、仮名の発信者名称がＲＡＭ２５に記憶されていると判断される場合（Ｓ２３２：ＹＥＳ）、ＲＡＭ２５に記憶された仮名の発信者名称を記憶部１６に着信履歴として記憶されている発信者電話番号および着信日時と関連付けて記憶し（Ｓ２３４）、本処理を終了する。
【００４９】
次に、パソコン３０における処理について、図３のパソコン３０における発信者名称表示処理を示すフローチャートに従って、詳細に説明する。パソコン３０における発信者名称表示処理は、通信ＢＯＸ１０から、漢字を含む発信者名称に対する読み仮名への変換を指示する変換指示と、発信者名称および発信者電話番号とを受信したことを条件として開始される。すなわち、本処理は、通信ＢＯＸ１０において、図２のＳ２０６の処理が実行されることにより開始される。
【００５０】
ＣＰＵ４１は、変換指示と発信者名称および発信者電話番号を受信すると、漢字辞書４４に基づいて、受信した発信者名称を対応する読み仮名に変換し（Ｓ３０２）、Ｓ３０４において、変換した発信者名称の読み仮名と発信者電話番号とを通信ＢＯＸ１０へ送信する。
【００５１】
そして、ＣＰＵ４１は、通信ＢＯＸ１０への送信が完了したか否かを判断し（Ｓ３０６）、送信が完了していないと判断された場合（Ｓ３０６：ＮＯ）、Ｓ３０４へ戻り、変換した発信者名称の読み仮名と発信者電話番号を再度通信ＢＯＸ１０へ送信する。なお、ＣＰＵ４１は、通信ＢＯＸ１０から、受信完了の旨の通知を受けたことを条件として、送信が完了したと判断する。一方、送信完了と判断された場合（Ｓ３０６：ＹＥＳ）、本処理を終了する。
【００５２】
次に、コードレス子機５０における処理について、図４のコードレス子機５０における発信者名称表示処理を示すフローチャートに従って、詳細に説明する。コードレス子機５０における発信者名称表示処理は、通信ＢＯＸ１０から発信者電話番号とＲＩＮＧを受信することにより開始される。すなわち、本処理は、通信ＢＯＸ１０において、図２のＳ２１２の処理が実行されることにより開始される。また、本処理では、通信ＢＯＸ１０からＲＩＮＧを受信する度に、ＲＩＮＧ受信後からの時間が計測される。時間計測中に新たなＲＩＮＧを受信した場合は、計測した時間がリセットされ、新たなＲＩＮＧ受信後からの時間が計測される。
【００５３】
制御部６０は、図４のＳ４００において、通信ＢＯＸ１０から受信した発信者電話番号を表示部５９に表示する。そして、制御部６０は、Ｓ４０２において、通話が開始されたか否かを判断する。ここで、通話の開始とは、例えば、コードレス子機５０のオフフック状態や、操作部５７の通話開始ボタンの押下を検出することにより判断される。なお、通話の開始が判断された場合、制御部６０は、通信ＢＯＸ１０に回線接続コマンドを送信する。そして、このコマンドに基づいて、通信ＢＯＸ１０で回線が接続されることにより、コードレス子機５０での通話が開始される。
【００５４】
判断の結果、通話開始が検出されなかった場合（Ｓ４０２：ＮＯ）、制御部６０は、図２のＳ２２４で通信ＢＯＸ１０から送信された発信者名称を受信したか否かを判断し（Ｓ４０４）、発信者名称を受信していないと判断された場合（Ｓ４０４：ＮＯ）、Ｓ４０２の処理に戻る。一方、発信者名称を受信したと判断された場合（Ｓ４０４：ＹＥＳ）、制御部６０は、受信した発信者名称を表示部５９に表示し（Ｓ４０６）、最後のＲＩＮＧ受信から一定時間経過したか否かを判断する（Ｓ４１０）。ここで、「最後のＲＩＮＧ受信」とは、図２のＳ２１２、Ｓ２２４、Ｓ２３６において通信ＢＯＸ１０から受信したＲＩＮＧのうち、最後に受信したＲＩＮＧである。また、「最後のＲＩＮＧ受信から一定時間経過した」場合とは、例えば、通話開始されずにＰＳＴＮ４が切断された場合等である。
【００５５】
そして、最後のＲＩＮＧ受信から一定時間経過したと判断された場合（Ｓ４１０：ＹＥＳ）、本処理を終了する。一方、最後のＲＩＮＧ受信から一定時間経過していないと判断された場合（Ｓ４１０：ＮＯ）、Ｓ４０２の処理に戻る。
【００５６】
Ｓ４０２において、通話開始と判断された場合（Ｓ４０２：ＹＥＳ）、制御部６０は、通話が終了されたか否かを判断する（Ｓ４０８）。ここで、通話の終了とは、例えば、コードレス子機５０のオンフック状態や、操作部５７の通話終了ボタンの押下を検出することにより判断される。なお、通話の終了が判断された場合、制御部６０は、通信ＢＯＸ１０に回線断コマンドを送信する。そして、このコマンドに基づいて、通信ＢＯＸ１０で回線が切断されることにより、コードレス子機５０での通話が終了される。
【００５７】
判断の結果、通話終了が検出されなかった場合（Ｓ４０８：ＮＯ）、制御部６０は、通話終了が検出されるまでＳ４０８の処理を繰り返す。一方、通話終了と判断された場合（Ｓ４０８：ＹＥＳ）、本処理を終了する。
【００５８】
以上説明したように、ＰＳＴＮ４を介して受信した、発信者電話番号と発信者名称とから構成される発信者情報のうち、漢字を含む発信者名称が検出された場合（図２のＳ２０２：ＹＥＳ）、パソコン３０で変換された発信者名称の読み仮名を表示することにより（図２のＳ２２０）、漢字表示に非対応の表示部１９を備えた通信ＢＯＸ１０において、ＰＳＴＮ４を介して受信した発信者名称に漢字が含まれる場合にも、受信した発信者名称に基づいて、表示部１９に発信者名称を表示することができる。
【００５９】
また、通信ＢＯＸ１０は、パソコン３０により変換された発信者名称の読み仮名を受信するまでの間、通信ＢＯＸ１０の表示部１９に発信者電話番号を表示することにより（図２のＳ２０４）、パソコン３０での変換処理の遅延や、無線ＬＡＮ２のトラフィック問題によって、パソコン３０から送信される発信者名称の読み仮名を受信するまでに長時間を要する場合であっても、電話システム１のユーザは、発信者を容易に特定することができる。
【００６０】
また、通信ＢＯＸ１０は、発信者電話番号を変換された発信者名称の読み仮名とともにパソコン３０から受信することにより、発信者電話番号と読み仮名とを対応付けて管理することができる。特に、パソコン３０での変換処理の遅延や、無線ＬＡＮ２のトラフィック問題によって、パソコン３０から送信される発信者名称の読み仮名を受信する前に、他の発信者電話番号との通話が行われた場合において、効果的である。
【００６１】
また、通信ＢＯＸ１０は、コードレス子機５０における通話開始を検出してから通話終了を検出するまで、すなわちコードレス子機５０での通話中において、パソコン３０との無線ＬＡＮ２による接続を切断することにより（図２のＳ２２６）、ＷＬＡＮ通信部１４、３４による無線通信とＤＣＬ通信部１５、５５による無線通信による電波干渉の発生を防止することができる。
【００６２】
また、通話終了を検出した後（図２のＳ２２８：ＹＥＳ）、パソコン３０との無線ＬＡＮ２による接続を開始することにより（図２のＳ２３０）、電波干渉の影響の大きい通話中を除き、常に通信ＢＯＸ１０とパソコン３０との間で種々のデータの送受信を行うことができる。
【００６３】
さらに、通話開始が検出されるまでに、通信ＢＯＸ１０がパソコン３０から発信者名称の読み仮名を受信していない場合（図２のＳ２３２：ＮＯ）、通信ＢＯＸ１０は、通話終了検出後に、パソコン３０との無線ＬＡＮ２による接続を再開して、パソコン３０から発信者名称の読み仮名を受信することにより、上述の電波干渉を防止しつつ、変換された発信者名称の読み仮名を確実に受信することができる。
【００６４】
以上、本発明の一実施形態について説明したが、本発明は上記実施形態に限定されるものではなく、本発明の要旨を逸脱しない範囲内で種々の態様を採ることができる。
【００６５】
本実施形態では、情報処理装置としてパソコン３０を例に挙げて説明したが、情報処理装置はこれに限定されるものではなく、漢字辞書を備えた情報処理装置であれば、例えば、スキャナ機能、ファクシミリ機能、プリンタ機能を備えた複合機等、種々の形態を採用することができる。
【００６６】
また、本実施形態において、通信ＢＯＸ１０およびコードレス子機５０の表示部１９、５９に発信者名称のみを表示しているが（図２のＳ２１０、Ｓ２２０、図４のＳ４０６参照）、表示部１９、５９に発信者名称とともに対応する発信者電話番号を表示させてもよい。
【００６７】
また、本実施形態において、通信ＢＯＸ１０およびコードレス子機５０の表示部１９、５９に発信者電話番号や発信者名称を表示させる構成を採っているが、何れか一方の表示部に表示させる構成としてもよい。
【００６８】
また、本実施形態において、通信ＢＯＸ１０およびコードレス子機５０の表示部１９、５９は、漢字表示に非対応なものとしているが、通信ＢＯＸ１０が漢字表示可能な表示部を備えている場合にも本発明を適用可能である。例えば、漢字表示可能であるが、漢字非表示モードなどの、漢字を表示しない設定が施された表示部を備えている場合である。この場合、漢字を含む発信者名称とともにそれに対応する読み仮名を表示させることにより、漢字の知識が少ない子供であっても、発信者を容易に認識することができるという効果を奏する。
【００６９】
なお、図２および図４に示すフローチャートにおいて、Ｓ２００は本発明の発信者情報受信手段、Ｓ２０２は本発明の名称検出手段、Ｓ２０６は本発明の変換指示手段、Ｓ２１４およびＳ４０２は本発明の通話開始検出手段、Ｓ２１６およびＳ２１８は本発明の読み仮名受信手段、Ｓ２２０およびＳ４０６は本発明の表示制御手段、Ｓ２２６は本発明の通信制御手段、Ｓ２２８およびＳ４０８は本発明の通話終了検出手段に相当する。
【００７０】
また、図３に示すフローチャートにおいて、Ｓ３０２は本発明の読み仮名変換手段、Ｓ３０４は本発明の読み仮名送信手段に相当する。
【符号の説明】
【００７１】
１                電話システム
２                無線ＬＡＮ
３                無線通信
４                公衆電話回線網（ＰＳＴＮ）
１０              通信ＢＯＸ
１４、３４        ＷＬＡＮ通信部
１５、５５        ＤＣＬ通信部
１６、３２        記憶部
１９、３９、５９  表示部
２０、４０、６０  制御部
２１、４１        ＣＰＵ
２５、４５        ＲＡＭ
３０              パソコン
４４              漢字辞書
５０              コードレス子機
【図１】
2011044992.tif 000003
【図２】
2011044992.tif 000004
【図３】
2011044992.tif 000005
【図４】
2011044992.tif 000006